Podtech/llm-jp-corpus-v4-ja_patent huggingface dataset:
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
対象者の内部に配置可能な複数のフィデューシャルと、
前記対象者の解剖学的部位を実時間座標系内に実時間で撮像するために超音波を放出する超音波トランスデューサを含む超音波撮像ユニットと、
計画座標系内の前記対象者の解剖学的部位に送出される治療用放射線の計画された治療位置及び計画された治療用放射線量を明らかにするために少なくとも１つの放射線療法計画画像を使用する照射計画ユニットと、
前記対象者の内部の前記フィデューシャルの位置に基づいて前記計画座標系に対して前記実時間座標系を位置合せし、前記フィデューシャルの前記位置を実時間で追跡する画像融合ユニットと、
前記フィデューシャルの前記位置及び前記対象者の撮像済みの実時間の解剖学的部位に対する送出済みの治療用放射線の前記治療用放射線量を明らかにする送出評価ユニットと
を含む、放射線療法システムにおいて、
前記複数のフィデューシャルのそれぞれが、
少なくとも自己識別情報を伝送する無線送信機と、
放出された超音波を受信することに応答して活性化され、前記無線送信機に給電する圧電素子を含む、前記無線送信機に接続されるセンサと、
前記無線送信機及び前記センサをカプセル化する生体適合性素材で構成されるカプセルと
を含み、
前記送出評価ユニットは、前記伝送される自己識別情報に基づいて前記フィデューシャルの前記位置を明らかにし、前記放射線送出機構に基づいて前記治療用放射線量を明らかにし、
前記画像融合ユニットが、超音波の伝送と受信との間の時間に基づいて前記超音波トランスデューサに対する前記フィデューシャルの位置、１つ又は複数の放出された超音波の方向、及び受信される１つ又は複数の放出された超音波の振幅を求め、
前記放射線療法システムは、伝送される前記自己識別情報を受信する、前記対象者の外部に位置する少なくとも１つのアンテナを更に含む
ことを特徴とする、放射線療法システム。
【請求項２】
前記照射計画ユニットが、前記送出される治療用放射線に基づき、前記対象者の前記解剖学的部位に送出される治療用放射線の前記計画された治療用放射線量及び／又は前記計画された位置を修正する、請求項１に記載の放射線療法システム。
【請求項３】
前記照射計画ユニットが、前記フィデューシャルの前記位置に基づいて治療用放射線送出の計画されたタイミングを調節する、請求項１又は２に記載の放射線療法システム。
【請求項４】
計画座標系内の前記対象者の前記解剖学的部位に前記治療用放射線量を送出する放射線療法送出機構を更に含む、請求項１乃至３の何れか一項に記載の放射線療法システム。
【請求項５】
前記対象者の実時間撮像済みの解剖学的部位上に重ね合わせられた前記フィデューシャルの位置を表示する表示装置を更に含む、請求項１乃至４の何れか一項に記載の放射線療法システム。
【請求項６】
前記放射線療法送出機構が外部のビーム照射療法装置を更に含み、
更に、前記送出評価ユニットが、第２の座標系に従い、ビームの形状、持続時間、及び前記外部のビーム照射療法装置からの方向に基づいて送出される治療用放射線の前記治療用放射線量及び前記位置を受け取り、各標的組織及び１つ又は複数の危険臓器に送出される治療用放射線の前記治療用放射線量及び前記位置を求める、請求項４又は５に記載の放射線療法システム。
【請求項７】
前記外部のビーム照射療法装置を制御し、治療計画に基づく形状、方向、強度、及び持続時間を持つ治療用放射線ビームを送出する放射線療法送出ユニットを更に含み、
前記照射計画ユニットが、前記フィデューシャルの前記位置に基づいて、送出中に前記治療計画を修正すること、外部のビームをゲート制御すること、又は前記外部のビームのコリメーションを調節することのうちの少なくとも１つを行う、請求項６に記載の放射線療法システム。
【請求項８】
前記放射線送出機構が、前記フィデューシャル内に搭載される放射性の点放射源を含む、請求項４又は５に記載の放射線療法システム。
【手続補正書】
【提出日】平成29年3月15日(2017.3.15)
【手続補正１】
【補正対象書類名】明細書
【補正対象項目名】００２７
【補正方法】変更
【補正の内容】
【００２７】
本実施形態においては、双曲面体形状を有する撹拌体２が示されているが、撹拌体２は、他の形状をとってもよい。例えば、撹拌体は円錐状であってもよく、先端の切り落とされた円錐状（円錐台状）の形を備えてもよい。輸送リブ３は、直線状に径方向に延在するものであってもよい。これらの輸送リブ３は、円錐状や先落ち円錐状の撹拌体２の実施形態においても、上記実施形態で例示したものと同様に形成されていてもよい。
なお、本発明は、実施の態様として以下の内容を含む。
〔態様１〕
槽内に収納された廃水を循環させるための撹拌体（２）で、円錐状または双曲面体状の形状を有し、撹拌シャフト（１）に接続するための中心部の接続体（Ａｓ）を備える撹拌体（２）において、
該撹拌体（２）が、複数のセグメント（Ｓ、Ｓ’）から形成され、複数のセグメント（Ｓ、Ｓ’）が金属製であって、撹拌シャフト（１）から、撹拌体（２）の外周縁（ＵＲ）まで延びる接合領域（Ｆ１）に沿って連結されることを特徴とする、撹拌体。
〔態様２〕
態様１に記載の撹拌体において、前記接合領域（Ｆ１）は、少なくとも部分的に、径方向に対し平行かつ／または傾斜して延在している撹拌体。
〔態様３〕
態様１または２に記載の撹拌体において、前記接合領域が、平面視で、複数の直状部（Ａ１、Ａ２、Ａ３）からなり、各直状部は、角度をつけて変向しながら接続されている、撹拌体。
〔態様４〕
態様３に記載の撹拌体において、隣接する直状部（Ａ１、Ａ２、Ａ３）がなす角度（α）が１３０〜１６５度である撹拌体。
〔態様５〕
態様１〜４のいずれか一態様に記載の撹拌体において、各セグメント（Ｓ、Ｓ’）が径方向にのびる屈曲線（Ｂ）を有する、撹拌体。
〔態様６〕
態様１〜５のいずれか一態様に記載の撹拌体において、前記セグメント（Ｓ、Ｓ’）が、厚さ０．５〜１５ｍｍ（好ましくは０．８〜３ｍｍ）の、高級鋼製の金属板から製造されたものである、撹拌体。
〔態様７〕
態様１〜６のいずれか一態様に記載の撹拌体において、前記セグメント（Ｓ、Ｓ’）は、平面視で円の分割体に相当する形状を有する、撹拌体。
〔態様８〕
態様１〜７のいずれか一態様に記載の撹拌体において、前記セグメント（Ｓ、Ｓ’）が、いずれも同一の構造を有する、撹拌体。
〔態様９〕
態様１〜８のいずれか一態様に記載の撹拌体において、せん断リブ（４）が、セグメント（Ｓ、Ｓ’）の周縁部領域に、外周縁（ＵＲ）の一部をなす形で設置されている、撹拌体。
〔態様１０〕
態様１〜９のいずれか一態様に記載の撹拌体において、各セグメント（Ｓ，Ｓ’）の、撹拌シャフト（１）に面する上側（Ｏ）から、少なくとも一つの輸送リブ（３）が延出している、撹拌体。
〔態様１１〕
態様１〜１０のいずれか一態様に記載の撹拌体において、前記接合領域が、セグメント（Ｓ、Ｓ’）の上側（Ｏ）へ屈曲した金属板部分（７、７’）から形成される、撹拌体。
〔態様１２〕
態様１〜１１のいずれか一態様に記載の撹拌体において、隣接する二つのセグメント（Ｓ、Ｓ’）の屈曲された金属板部（７、７’）が、接続された状態で、輸送リブ（３）を構成する、撹拌体。
〔態様１３〕
態様９〜１２のいずれか一態様に記載の撹拌体において、前記せん断リブ（４）および／または輸送リブ（３）が、高級鋼製の金属板からなり、各セグメント（Ｓ）に対し、少なくとも一つのスポット継手を介して接続されている、撹拌体。
〔態様１４〕
態様１〜１３のいずれか一態様に記載の撹拌体において、各セグメント（Ｓ、Ｓ’）の径方向内側端が、角度をつけて曲がり、孔（６）を設けられた接続体部（５）を備える、撹拌体。
〔態様１５〕
態様１４に記載の撹拌体において、全セグメント（Ｓ、Ｓ’）の前記接続体部（５）の孔（６）が、仮想円上にのる、撹拌体。
〔態様１６〕
態様１〜１５のいずれか一態様に記載の撹拌体において、前記セグメントがそれぞれ複数の小セグメント（Ｔ１、Ｔ２、Ｔ３、Ｔ４）から構成され、該小セグメントは、撹拌シャフト（１）に対し略同心状に延在する接合帯に沿って連結されている、撹拌体。
〔態様１７〕
態様１〜１６のいずれか一態様に記載の撹拌体において、前記セグメント（Ｓ、Ｓ’）および／または小セグメント（Ｔ１、Ｔ２、Ｔ３、Ｔ４）が、リベット継手またはスポット溶接継手によって連結されている、撹拌体。
〔態様１８〕
槽内に収納された廃水を循環させるための装置であって、態様１〜１７のいずれか一項に記載の撹拌体（２）が、駆動系から延出する撹拌シャフト（１）に設置されている、装置。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
容器に収納された液体を循環させるための装置であって、直立するシャフト上に設置された、双曲面体状または円錐台状の撹拌体（１）を有し、
前記撹拌体（１）の上側（Ｏ）には、外周縁（ＵＲ）からシャフトにかけて延在する複数の輸送リブ（Ｔ１〜Ｔ８）が設けられ、
隣接する二つの輸送リブ（Ｔ１〜Ｔ８）の中心線（Ｍ１〜Ｍ８）が、該隣接する輸送リブ（Ｔ１〜Ｔ８）の各峰線（Ｋ１〜Ｋ８）からの距離が最小の等距離となる点の軌跡として定義され、
前記二つの輸送リブ（Ｔ１〜Ｔ８）の間で、撹拌体（１）に開口（Ｄ１〜Ｄ８）が設けられ、
前記開口（Ｄ１〜Ｄ８）の側縁が境界となる開口部領域が幾何学的重心（Ｓ１〜Ｓ８）を有する装置において、
前記開口部領域の幾何学的重心（Ｓ１〜Ｓ８）が、中心線（Ｍ１〜Ｍ８）と、二つの輸送リブ（Ｔ１〜Ｔ８）の一方の峰線（Ｋ１〜Ｋ８）の間の領域に設けられていることを特徴とする、装置。
【請求項２】
請求項１に記載の装置において、前記輸送リブ（Ｔ１〜Ｔ８）は各々、径方向にシャフトに指向する湾曲部を有する、装置。
【請求項３】
請求項１または２に記載の装置において、前記開口部領域が実質的に径方向に延在し、シャフトに近い側に第一の端部（Ｅ１）を有し、外周縁（ＵＲ）に近い側に第二の端部（Ｅ２）を有することを特徴とする、装置。
【請求項４】
請求項１〜３のいずれか一項に記載の装置であって、前記輸送リブ（Ｔ１〜Ｔ８）の高さ（Ｈ１、Ｈ２）が大体、外周縁（ＵＲ）から隣接する開口部領域の前記第一の端部（Ｅ１）にかけて増加する、装置。
【請求項５】
請求項１〜４のいずれか一項に記載の装置であって、輸送リブ（Ｔ１〜Ｔ８）の高さ（Ｈ１，Ｈ２）が、隣接する開口部領域の第一の端部（Ｅ１）から、大体、前記シャフトにむけて減少する装置。
【請求項６】
請求項１〜５のいずれか一項に記載の装置において、前記開口部領域が、その長側縁の一方において、前記輸送リブ（Ｔ１〜Ｔ８）により、境界を定められている、装置。
【請求項７】
請求項１〜６のいずれか一項に記載の装置において、前記輸送リブ（Ｔ１〜Ｔ８）が隣接するまたは境界をなす開口（Ｄ１〜Ｄ８）の開口部領域に対し、角αで傾斜している、装置。
【請求項８】
請求項１〜７のいずれか一項に記載の装置において、前記撹拌体（１）の側表面と、全開口（Ｄ１〜Ｄ８）の全開口領域の面積比が１０：１〜１０：２である、装置。
【請求項９】
請求項１〜８のいずれか一項に記載の装置において、前記開口部領域の幾何学的重心（Ｓ１〜Ｓ８）は、互いにほぼ等角度で離間している、装置。
【請求項１０】
請求項１〜９のいずれか一項に記載の装置において、前記撹拌体（１）がｎ回回転軸（ｎは６〜１２の整数）で定義される対称性を有する装置。
【請求項１１】
請求項１〜１０のいずれか一項に記載の装置において、前記撹拌体（１）は構造上同一の複数のセグメント（Ｓｇ１〜Ｓｇ８）から形成され、前記セグメントが外周縁（ＵＲ）から中央に配置された接続体（２）にかけて延在する接合領域（Ｆ１〜Ｆ８）に沿って相互に連結される、装置。
【手続補正２】
【補正対象書類名】明細書
【補正対象項目名】００３４
【補正方法】変更
【補正の内容】
【００３４】
本発明にかかる装置は、格段に向上した効率で操作することができる。これは基本的に開口Ｄ１〜Ｄ８をその幾何学的重心Ｓ１〜Ｓ８が隣接する輸送リブＴ１〜Ｔ８の近傍に位置するように配置したことによるものである。開口Ｄ１〜Ｄ８を、その高さが外周縁ＵＲから開口Ｄ１〜Ｄ８にかけて連続して増加する輸送リブＴ１〜Ｔ８と組み合わせた場合、さらに効率が増大する。なお、隣接する開口領域に向けて輸送リブＴ１〜Ｔ８を傾斜させた場合、さらに効率が増大する。
なお、本発明は、実施の態様として以下の内容を含む。
〔態様１〕
容器に収納された液体を循環させる（特に、槽内の廃水を循環させる）ための装置であって、直立するシャフト上に設置された、双曲面体状または円錐台状の撹拌体（１）を有し、
前記撹拌体（１）の上側（Ｏ）には、外周縁（ＵＲ）からシャフトにかけて延在する複数の輸送リブ（Ｔ１〜Ｔ８）が設けられ、
隣接する二つの輸送リブ（Ｔ１〜Ｔ８）の中心線（Ｍ１〜Ｍ８）が、該隣接する輸送リブ（Ｔ１〜Ｔ８）の各峰線（Ｋ１〜Ｋ８）からの距離が最小の等距離となる点の軌跡として定義され、
前記二つの輸送リブ（Ｔ１〜Ｔ８）の間で、撹拌体（１）に開口（Ｄ１〜Ｄ８）が設けられ、
前記開口（Ｄ１〜Ｄ８）の側縁が境界となる開口部領域が幾何学的重心（Ｓ１〜Ｓ８）を有する装置において、
前記開口部領域の幾何学的重心（Ｓ１〜Ｓ８）が、中心線（Ｍ１〜Ｍ８）と、二つの輸送リブ（Ｔ１〜Ｔ８）の一方の峰線（Ｋ１〜Ｋ８）の間の領域に設けられていることを特徴とする、装置。
〔態様２〕
態様１に記載の装置において、前記輸送リブ（Ｔ１〜Ｔ８）は各々、径方向にシャフトに指向する湾曲部を有する、装置。
〔態様３〕
態様１または２に記載の装置において、前記開口部領域が実質的に径方向に延在し、シャフトに近い側に第一の端部（Ｅ１）を有し、外周縁（ＵＲ）に近い側に第二の端部（Ｅ２）を有することを特徴とする、装置。
〔態様４〕
態様１〜３のいずれか一態様に記載の装置であって、前記輸送リブ（Ｔ１〜Ｔ８）の高さ（Ｈ１、Ｈ２）が大体、外周縁（ＵＲ）から隣接する開口部領域の前記第一の端部（Ｅ１）にかけて増加する、装置。
〔態様５〕
態様１〜４のいずれか一態様に記載の装置であって、輸送リブ（Ｔ１〜Ｔ８）の高さ（Ｈ１，Ｈ２）が、隣接する開口部領域の第一の端部（Ｅ１）から、大体、前記シャフトにむけて減少する装置。
〔態様６〕
態様１〜５のいずれか一態様に記載の装置において、前記開口部領域が、その長側縁の一方において、前記輸送リブ（Ｔ１〜Ｔ８）により、境界を定められている、装置。
〔態様７〕
態様１〜６のいずれか一態様に記載の装置において、前記輸送リブ（Ｔ１〜Ｔ８）が隣接するまたは境界をなす開口（Ｄ１〜Ｄ８）の開口部領域に対し、角αで傾斜している、装置。
〔態様８〕
態様１〜７のいずれか一態様に記載の装置において、前記撹拌体（１）の側表面と、全開口（Ｄ１〜Ｄ８）の全開口領域の面積比が１０：１〜１０：２である、装置。
〔態様９〕
態様１〜８のいずれか一態様に記載の装置において、前記開口部領域の幾何学的重心（Ｓ１〜Ｓ８）は、互いにほぼ等角度で離間している、装置。
〔態様１０〕
態様１〜９のいずれか一態様に記載の装置において、前記撹拌体（１）がｎ回回転軸（ｎは６〜１２の整数）で定義される対称性を有する装置。
〔態様１１〕
態様１〜１０のいずれか一態様に記載の装置において、前記撹拌体（１）は構造上同一の複数のセグメント（Ｓｇ１〜Ｓｇ８）から形成され、前記セグメントが外周縁（ＵＲ）から中央に配置された接続体（２）にかけて延在する接合領域（Ｆ１〜Ｆ８）に沿って相互に連結される、装置。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
長さを調整可能な肢部材を含む外骨格であって、前記肢部材は、調整線に沿って互いに対して摺動できるように共に形成された、第１の枢動接続位置を有する第１の脚部分と、第２の枢動接続位置を有する第２の脚部分とを含み、前記外骨格は、前記調整線に沿って相対的位置を固定調整する調整機構と、前記調整機構とは無関係な、前記第１の脚部分と前記第２の脚部分との前記相対的位置をさらに固定するロック機構とをさらに含む、ことを特徴とする外骨格。
【請求項２】
前記調整線は、直線である、
請求項１に記載の外骨格。
【請求項３】
前記調整機構は、一端が前記第１又は第２の脚部分の一方に、もう一端が前記第１又は第２の脚部分の他方のソケットに接続されたシャフトを含み、機構が、前記シャフト、前記ソケット又はこれらの両方を操作して前記ソケット内の前記シャフトの相対的軸方向位置を調整する、
請求項１又は２に記載の外骨格。
【請求項４】
前記機構は、前記ソケットと前記シャフトとの間の力に応答しない、
請求項３に記載の外骨格。
【請求項５】
前記機構は、ウォームを回転させるための回転自在な入力部と、前記シャフトを回転させるように接続されたウォームホイールとを有するウォームドライブであり、前記ウォームは、前記ウォームホイールに係合する、
請求項４に記載の外骨格。
【請求項６】
前記第１の脚部分及び前記第２の脚部分は、使用時の曲げ力が伝わる係合レール部材を含み、前記ロック機構は、該ロック機構が前記レール部材を互いに押圧する第１の状態と、前記レール部材がさらに自由に摺動できる第２の状態との間で操作可能である、
請求項１から５のいずれか１項に記載の外骨格。
【請求項７】
前記ロック機構は、前記第１の脚部分によって担持され、前記第２の脚部分に面する座面と、摺動可能状態に対応する第１の位置と、ロック状態に対応する第２の位置との間で動作可能なレバーとを含み、前記第１の位置から前記第２の位置への前記レバーの操作は、前記座面を前記第２の脚部分に対して付勢する、
請求項６に記載の外骨格。
【請求項８】
前記ロック機構は、前記第１の脚部分のロック領域から延び、前記座面は、前記第１の脚部分の前記ロック領域に面し、前記第２の脚部分の一部は、前記座面と前記第１の脚部分の前記ロック領域との間に位置する、
請求項６に記載の外骨格。
【請求項９】
前記レバーは、前記レバーをロック解除位置からロック位置に閉じる動きにおいて、必要な力が最初に増加してその後に減少するようなオーバーセンタ機構を含む、
請求項８に記載の外骨格。
【請求項１０】
前記外骨格は、
前記第１の脚部分及び第２の脚部分で構成される上腿構造部材と、該上腿構造部材を実質的に内包するように構成された上腿外側カバーとを備え、該上腿外側カバーは、前記上腿構造部材のサイズに従って該上腿外側カバーのサイズを調整する１対の入れ子状の上側カバー部分を有し、
下側の第１の脚部分及び下側の第２の脚部分で構成される下腿構造部材と、該下腿構造部材を実質的に内包するように構成された下腿外側カバーとを備え、該下腿外側カバーは、前記下腿構造部材のサイズに従って該下腿外側カバーのサイズを調整する１対の入れ子状の下側カバー部分を有し、該下腿外側カバーは前記上腿外側カバーを、前記上腿構造部材と前記下腿構造部材の中間の膝関節に隣接して枢動自在に結合するように構成されている、
請求項１に記載の外骨格。
【請求項１１】
運動性に障害のある障害者ユーザをサポートするのに適した歩行補助具であって、
外骨格を備え、該外骨格は、
ユーザの臀部を支持する剛性の骨盤支持部材と、
各々が前記ユーザのそれぞれの脚を支持するように前記骨盤支持部に結合されて該骨盤支持部から延びる第１の脚部構造及び第２の脚部構造と、
を含み、前記第１の脚部構造及び前記第２の脚部構造は、
前記ユーザの上腿に係合するための上腿構造部材であって、股関節によって前記骨盤支持部材と該上腿構造部材の第１の端部で枢動自在に係合する、上腿構造部材と、
前記ユーザの下腿に係合するための下腿構造部材であって、前記上腿構造部材に対する該下腿構造部材の屈曲及び伸展方向の回転を可能にするように、膝関節によって前記上腿構造部材の第２の端部と該下腿構造部材の第１の端部で枢動自在に係合する、下腿構造部材と、
前記上腿構造部材を実質的に内包するように構成された上腿外側カバーであって、該上腿外側カバーは、前記上腿構造部材のサイズに従って該上腿外側カバーのサイズを調整する１対の入れ子状の上側カバー部分を有する、上腿外側カバーと、
前記下腿構造部材を実質的に内包するように構成された下腿外側カバーであって、該下腿外側カバーは、前記下腿構造部材のサイズに従って該下腿外側カバーのサイズを調整する１対の入れ子状の下側カバー部分を有し、該下腿外側カバーは前記上腿外側カバーを前記膝関節に隣接して枢動自在に結合するように構成されている、下腿外側カバーと、を含む、歩行補助具。
【手続補正書】
【提出日】平成29年11月9日(2017.11.9)
【手続補正１】
【補正対象書類名】明細書
【補正対象項目名】００３９
【補正方法】変更
【補正の内容】
【００３９】
図３は、ブラケット前駆体１０のボンディングパッド１４の一部、及び、ブラケット前駆体１０から分離した（取れた）支持構造体１１を示す。歯接面１６は、空洞１７を有する（その１つが詳細に示される）。支持構造体１１は、最初は（分離前）空洞１７の表面部から突出しており、好ましくは、その空洞表面部に隣接する所定の破断点を有する。例において、所定の破断点は、支持構造体１１の幅細部により形成される。概略的に図示されるように、したがって、支持構造体１１を折り取った後、存在する残りの破断部１８は、空洞１７の開口部の外側で突出しないのが好ましい。したがって、支持構造体１１の破断部１８が、ブラケットボンディングパッドが付着し得る歯面と衝突しない、又は実質的に衝突しないように、ブラケットボンディングパッド１４は構成される。このように存在する破断部１８は、完成したブラケットを患者の歯に取り付けることに影響を及ぼすことができない。空洞及び破断点は、追加の表面及び構造体を更に提供して、歯接面を有するブラケットを患者の歯に結合した後、結合強度を改善できる。本発明の実施態様の一部を以下の項目［１］−［１５］に記載する。
［項目１］
カスタマイズされた歯列矯正ブラケットを製造する方法であって、該方法が、
−複数の個別に成形されたカスタマイズされた歯列矯正ブラケット前駆体を提供する工程と、
−１つ以上の支持構造体を提供する工程と、
−前記支持構造体を備える前記ブラケット前駆体を機械加工装置に配置する工程と、
−前記機械加工装置を用いて、材料除去による各ブラケット前駆体のアーチワイヤスロットであって、互いに共通路に沿って整列配置されるアーチワイヤスロットを提供して、これにより複数のブラケットを提供する工程と、
−前記支持構造体と前記ブラケットを互いに分離する工程と、を含む方法。
［項目２］
各ブラケット前駆体に支持構造体を提供する工程を含む、項目１に記載の方法。
［項目３］
前記ブラケット前駆体と前記支持構造体がモノリシックに形成されており、前記方法が、前記ブラケット前駆体と前記支持構造体の間の所定の破断点を提供する工程を更に含む、項目２に記載の方法。
［項目４］
前記ブラケット前駆体が、連続して一列に機械加工装置に配置される、項目１〜３のいずれか一項に記載の方法。
［項目５］
各ブラケット前駆体の前記アーチワイヤスロットが研削によって提供されて、該研削は、研削工具と列に沿ったブラケット前駆体の間の線状相対運動に基づいて実行される、項目４に記載の方法。
［項目６］
各ブラケット前駆体の前記アーチワイヤスロットが、列に沿って伸びる、概して線形の構造体若しくはワイヤを使用して、複数又はすべてのブラケット前駆体を同時に放電加工することによって提供される、項目４に記載の方法。
［項目７］
−追加材料の製造を使用して、前記支持構造体（又は前記支持構造体のうちの１つ）をビルドアップする工程と、
−追加材料の製造を使用して、前記支持構造体上の前記ブラケット前駆体（又は前記ブラケット前駆体のうちの１つ）をビルドアップする工程と、を更に含む、項目１〜６のいずれか一項に記載の方法。
［項目８］
前記ブラケット前駆体をビルドアップする前記工程が、前記支持構造体上のブラケットボンディングパッド及び該ボンディングパッド上のブラケット本体前駆体のビルドアップを含む、項目７に記載の方法。
［項目９］
前記ブラケット本体前駆体が、ブラケット本体前駆体からの材料除去によってアーチワイヤスロットを提供するための、基礎を形成する小型のスロットを含む、項目８に記載の方法。
［項目１０］
−患者の少なくとも１つの仮想歯面を提供する工程と、
−仮想ブラケットボンディングパッド及び仮想ブラケット本体を含む仮想ブラケットを提供する工程であって、該仮想ブラケットボンディングパッドが前記仮想歯面に関連する仮想歯接面を有する、仮想ブラケットを提供する工程と、
○アーチワイヤ位置（又はアーチワイヤスロット位置）と、
○ブラケット位置と、
○基準面とのうちの少なくとも２つの間の幾何学的関係を測定する工程と、
−測定された幾何学的関係に基づいて支持構造体の形状を決定する工程と、を含む、項目１〜９のいずれか一項に記載の方法。
［項目１１］
基準面と仮想ブラケットボンディングパッドの間に支持構造体を作製する工程を更に含む、項目１０に記載の方法。
［項目１２］
ブラケット前駆体を提供する工程が、選択的レーザ溶融（ＳＬＭ）又はステレオリソグラフィ（ＳＴＬ）に基づく三次元ビルドアップ装置で、ブラケット前駆体を三次元的にビルドアップすることを含む、項目１〜１１のいずれか一項に記載の方法。
［項目１３］
−前記基準面を形成する支持プレートを提供する工程と、
−前記支持プレートを前記ビルドアップ装置に配置する工程と、
−前記支持構造体及び前記ブラケット前駆体をビルドアップする工程と、を更に含む、項目１０及び１２、又は項目１１及び１２に記載の方法。
［項目１４］
−前記機械加工装置に、プレートの上にビルドアップされた前記ブラケット前駆体を備える前記支持プレートを配置する工程と、
−前記アーチワイヤスロットを備えた前記ブラケット前駆体を提供する工程と、を更に含む、項目１３に記載の方法。
［項目１５］
材料除去から得られたアーチワイヤスロットを三次元的にビルドアップすること、又はキャスティングすること、及び有することから得られる、カスタマイズされた歯列矯正ブラケット。
【手続補正２】
【補正対象書類名】特許請求の範囲
【補正対象項目名】全文
【補正方法】変更
【補正の内容】
【特許請求の範囲】
【請求項１】
カスタマイズされた歯列矯正ブラケットを製造する方法であって、該方法が、
−複数の個別に成形されたカスタマイズされた歯列矯正ブラケット前駆体を提供する工程と、
−１つ以上の支持構造体を提供する工程と、
−前記支持構造体を備える前記ブラケット前駆体を機械加工装置に配置する工程と、
−前記機械加工装置を用いて、材料除去による各ブラケット前駆体のアーチワイヤスロットであって、互いに共通路に沿って整列配置されるアーチワイヤスロットを提供して、これにより複数のブラケットを提供する工程と、
−前記支持構造体と前記ブラケットを互いに分離する工程と、を含む方法。
【請求項２】
各ブラケット前駆体に支持構造体を提供する工程を含み、
前記ブラケット前駆体と前記支持構造体がモノリシックに形成されており、前記方法が、前記ブラケット前駆体と前記支持構造体の間の所定の破断点を提供する工程を更に含む、請求項１に記載の方法。
【請求項３】
−患者の少なくとも１つの仮想歯面を提供する工程と、
−仮想ブラケットボンディングパッド及び仮想ブラケット本体を含む仮想ブラケットを提供する工程であって、該仮想ブラケットボンディングパッドが前記仮想歯面に関連する仮想歯接面を有する、仮想ブラケットを提供する工程と、
○アーチワイヤ位置（又はアーチワイヤスロット位置）と、
○ブラケット位置と、
○基準面とのうちの少なくとも２つの間の幾何学的関係を測定する工程と、
−測定された幾何学的関係に基づいて支持構造体の形状を決定する工程と、を含む、請求項１〜２のいずれか一項に記載の方法。
【手続補正書】
【提出日】平成29年11月9日(2017.11.9)
【手続補正１】
【補正対象書類名】明細書
【補正対象項目名】００５７
【補正方法】変更
【補正の内容】
【００５７】
本明細書に引用される特許、特許文献、及び刊行物の完全な開示内容は、あたかもそれぞれが個々に組み込まれたのと同様に、それら全体が参照により組み込まれる。本開示の範囲及び趣旨を逸脱することなく本開示に対する様々な改変及び変更が当業者には明らかであろう。本開示を本明細書に記載される例示的な実施形態及び実施例によって不当に制限する意図はない点、更にこうした実施例及び実施形態はあくまで例として示されるものであって、本開示の範囲は以下の特許請求の範囲によってのみ限定されることが意図されている点は理解されるはずである。本発明の実施態様の一部を以下の項目［１］−［１８］に記載する。
［項目１］
患者の上顎歯列弓と下顎歯列弓との間に治療目的の力を加える歯科矯正アセンブリであって、
上顎歯列弓器具に結合するコネクタと、
前歯に固定され、組付け棒及び基部を備える第１の取付けデバイスと、
２つの対向する端部を有するフォースモジュールであって、一方の前記端部は、前記コネクタに結合され、反対側の前記端部は、前記取付けデバイスの前記組付け棒に結合するように適合された、フォースモジュールと、を備える歯科矯正アセンブリ。
［項目２］
前記取付けデバイスは、前記下顎歯列弓の唇側面に固着される唯一の器具である、項目１に記載の歯科矯正アセンブリ。
［項目３］
前記組付け棒は、近心−遠心区分と、偏倚区分と、を含み、前記偏倚区分は、前記近心−遠心区分に対して鋭角で延び、前記基部に連結される、項目１に記載の歯科矯正アセンブリ。
［項目４］
前記近心−遠心区分及び前記偏倚区分は、凹部を画定する、項目３に記載の歯科矯正アセンブリ。
［項目５］
前記モジュールの前記反対側の端部は、ループ構成を含み、前記ループ構成の少なくとも一部分は、前記凹部内に受容される、項目５に記載の歯科矯正アセンブリ。
［項目６］
前記近心−遠心区分及び前記偏倚区分は、前記フォースモジュールが概ね近心−遠心基準軸周りに回転するのを制限するように協働する、項目３に記載の歯科矯正アセンブリ。
［項目７］
前記取付けデバイスは、犬歯に固定される、項目１に記載の歯科矯正アセンブリ。
［項目８］
前記第１の取付けデバイスから遠位の位置に固定した第２の取付けデバイスを更に備え、前記第２の取付けデバイスは、前記第１の取付けデバイスに連結される、項目１から７のいずれか一項に記載のアセンブリ。
［項目９］
前記第２の取付けデバイスは、前記第１の取付けデバイスに結び付けられる、項目８に記載のアセンブリ。
［項目１０］
舌側の歯の表面に固定した第２の取付けデバイスを更に備え、前記第２の取付けデバイスは、前記第１の取付けデバイスに連結される、項目１から９のいずれか一項に記載のアセンブリ。
［項目１１］
歯科矯正アセンブリであって、
患者の歯列弓の舌側面に結合される１組のブラケットと、
前記ブラケットに連結されるワイヤと、
上顎歯列弓器具に結合するコネクタと、
前歯の唇側面に固定され、組付け棒及び基部を備える第１の取付けデバイスと、
２つの対向する端部を有するフォースモジュールであって、一方の前記端部は、前記コネクタに結合され、反対側の前記端部は、前記取付けデバイスの前記組付け棒に結合するように適合された、フォースモジュールと、を備える歯科矯正アセンブリ。
［項目１２］
前記組付け棒は、近心−遠心区分と、偏倚区分と、を含み、前記偏倚区分は、前記近心−遠心区分に対して鋭角で延びる、項目１１に記載の歯科矯正アセンブリ。
［項目１３］
前記近心−遠心区分及び前記偏倚区分は、凹部を画定し、前記フォースモジュールの前記反対側の端部の一部分は、前記凹部内に受容される、項目１２に記載の歯科矯正アセンブリ。
［項目１４］
前記モジュールの前記反対側の端部は、ループ構成を含み、前記ループ構成の少なくとも一部分は、前記凹部内に受容される、項目１３に記載の歯科矯正アセンブリ。
［項目１５］
前記フォースモジュールは、長手方向軸を含み、前記近心−遠心区分及び前記偏倚区分は、前記フォースモジュールが前記長手方向軸周りに回転するのを制限するように協働する、項目１２に記載の歯科矯正アセンブリ。
［項目１６］
前記上顎歯列弓器具は、外形のある表面を有するバンドを含み、前記外形は、大臼歯の咬合側表面の外形に近似するか又は一致する、項目１１に記載の歯科矯正アセンブリ。
［項目１７］
キットであって、
上顎歯列弓器具に結合するコネクタと、
組付け棒及び基部を備える第１の取付けデバイスと、
２つの対向する端部を有するフォースモジュールであって、一方の前記端部は、前記コネクタに結合され、反対側の前記端部は、前記取付けデバイスの前記組付け棒に結合するように適合された、フォースモジュールと、
前記フォースモジュール及び前記取付けデバイスを患者の歯列弓上に設置するための指示書と、を含むキット。
［項目１８］
上顎歯列弓器具を更に備え、前記上顎歯列弓器具は、通路を画定する本体部と、大臼歯を概ね最大豊隆線の上で少なくとも部分的に取り囲むように構成したバンドと、を含むバンド付きチューブである、項目１７に記載のキット。
【手続補正２】
【補正対象書類名】特許請求の範囲
【補正対象項目名】全文
【補正方法】変更
【補正の内容】
【特許請求の範囲】
【請求項１】
患者の上顎歯列弓と下顎歯列弓との間に治療目的の力を加える歯科矯正アセンブリであって、
上顎歯列弓器具に結合するコネクタと、
前歯に固定され、組付け棒及び基部を備える第１の取付けデバイスであって、前記組付け棒が、前記基部の少なくとも一部からずれており、かつ、前記基部の少なくとも一部にわたって延びている、第１の取付けデバイスと、
両側にある２つの端部を有するフォースモジュールであって、一方の前記端部は、前記コネクタに結合され、反対側の前記端部は、前記取付けデバイスの前記組付け棒に結合するように適合された、フォースモジュールと、を備える歯科矯正アセンブリ。
【請求項２】
前記モジュールの前記反対側の端部は、ループ構成を含み、前記ループ構成の少なくとも一部分は、前記組付け棒及び前記基部の間の凹部内に受容される、請求項１に記載の歯科矯正アセンブリ。
【請求項３】
歯科矯正アセンブリであって、
患者の歯列弓の舌側面に結合される１組のブラケットと、
前記ブラケットに連結されるワイヤと、
上顎歯列弓器具に結合するコネクタと、
前歯の唇側面に固定され、組付け棒及び基部を備える第１の取付けデバイスであって、前記組付け棒が、前記基部の少なくとも一部からずれており、かつ、前記基部の少なくとも一部にわたって延びている、第１の取付けデバイスと、
両側にある２つの端部を有するフォースモジュールであって、一方の前記端部は、前記コネクタに結合され、反対側の前記端部は、前記取付けデバイスの前記組付け棒に結合するように、かつ、前記組付け棒及び前記基部の間に配置される部分を有するように適合された、フォースモジュールと、を備える歯科矯正アセンブリ。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ＭＲ装置の検査ボリュームに位置する対象のＭＲイメージング方法であって、
前記対象をＲＦパルス及び切り替えられる磁界勾配のイメージングシーケンスに曝すステップであって、前記イメージングシーケンスが、
ｉ）読み出し方向及び読み出し強度を有する読み出し磁界勾配をセットするステップと、
ｉｉ）前記読み出し磁界勾配の存在下、ＲＦパルスを放射するステップと、
ｉｉｉ）前記読み出し磁界勾配の存在下、半径方向のｋ空間サンプルを表すＦＩＤ信号を取得するステップと、
ｉｖ）前記読み出し方向を徐々に変化させるステップと、
ｖ）前記読み出し強度が反復と反復との間に変更されるようにして前記ステップｉ）乃至ｉｖ）を繰り返すことによって、ｋ空間の球形ボリュームをサンプリングするステップであって、サンプリングの都度前記読み出し強度の異なる値を用いてｋ空間の個別の位置が少なくとも２回サンプリングされるように、前記読み出し強度が変えられ、前記ｋ空間の位置が、２又はそれ以上の異なるサンプリング時間にサンプリングされる、ステップと
を含むゼロエコー時間シーケンスである、ステップと、
前記取得されたＦＩＤ信号からＭＲ画像を再構成するステップであって、前記取得されたＦＩＤ信号に対する２又はそれ以上の化学種の信号寄与が分離される、ステップと、
を有するＭＲイメージング方法であって、
前記ＦＩＤ信号に対する２又はそれ以上の化学種の信号寄与が、前記読み出し強度の変更によってもたらされる前記取得されたＦＩＤ信号の位相差から導き出され、
前記信号寄与の分離は、少なくとも前記化学種の各々のＭＲスペクトルを含む信号モデルに基づいて実施される、ＭＲイメージング方法。
【請求項２】
前記信号モデルが、前記検査ボリュームの主磁界不均一性を更に含む、請求項１に記載のＭＲイメージング方法。
【請求項３】
位相マップが、前記取得されたＦＩＤ信号から導き出され、前記主磁界不均一性が、前記主磁界不均一性によって引き起こされる位相シフトが空間にわたって滑らかに変化することを利用することによって、前記位相マップから導出される、請求項２に記載のＭＲイメージング方法。
【請求項４】
前記読み出し強度が、２又はそれ以上の予め選択された値の間でそれを切り替えることによって変更される、請求項１乃至３のいずれか１項に記載のＭＲイメージング方法。
【請求項５】
ｋ空間が、セグメント化された形でサンプリングされ、各セグメントが、所与の壁厚をもつ中空の球体形状を有し、
前記読み出し強度の２又はそれ以上の予め選択された値の異なる組み合わせが、各セグメントをサンプリングする際に印加される、請求項４に記載のＭＲイメージング方法。
【請求項６】
前記ｋ空間の球形ボリュームが、前記読み出し方向及び前記読み出し強度をランダムに変化させることによってサンプリングされる、請求項１乃至５のいずれか１項に記載のＭＲイメージング方法。
【請求項７】
圧縮センシングが、ＭＲ画像を再構成するために及び／又は２つの化学種の信号寄与を分離するために用いられる、請求項１乃至６のいずれか１項に記載のＭＲイメージング方法。
【請求項８】
検査ボリューム内に一様な安定した磁界を生成する少なくとも１つの主磁石コイルと、
前記検査ボリューム内の異なる空間方向に、切り替えられる磁界勾配を生成する複数の勾配コイルと、
前記検査ボリューム内にＲＦパルスを生成し、及び／又は前記検査ボリュームに位置付けられる対象からのＭＲ信号を受信する、少なくとも１つのＲＦコイルと、
ＲＦパルス及び切り替えられる磁界勾配の時間連続を制御する制御ユニットと、
再構成ユニットと、
を有するＭＲ装置であって、前記ＭＲ装置は、
ＲＦパルス及び切り替えられる磁界勾配のイメージングシーケンスに対象を曝す処理であって、前記イメージングシーケンスが、
ｉ）読み出し方向及び読み出し強度を有する読み出し磁界勾配をセットするステップと、
ｉｉ）前記読み出し磁界勾配の存在下、ＲＦパルスを放射するステップと、
ｉｉｉ）前記読み出し磁界勾配の存在下、半径方向のｋ空間サンプルを表すＦＩＤ信号を取得するステップと、
ｉｖ）前記読み出し方向を逐次に変化させるステップと、
ｖ）前記読み出し強度が反復と反復との間に変更されるようにして前記ステップｉ）乃至ｉｖ）を繰り返すことによって、ｋ空間の球形ボリュームをサンプリングするステップであって、サンプリングの都度前記読み出し強度の異なる値を用いてｋ空間の個別の位置が少なくとも２回サンプリングされるように、前記読み出し強度が変えられ、前記ｋ空間の位置が、２又はそれ以上の異なるサンプリング時間にサンプリングされる、ステップと、
を含むゼロエコー時間シーケンスである、処理と、
前記取得されたＦＩＤ信号からＭＲ画像を再構成しする処理であって、前記取得されたＦＩＤ信号に対する２又はそれ以上の化学種の信号寄与が分離される、処理と、
を実施するＭＲ装置。
【請求項９】
ＭＲ装置において実行されるコンピュータプログラムであって、
ＲＦパルス及び切り替えられる磁界勾配のイメージングシーケンスを生成する命令であって、前記イメージングシーケンスが、
ｉ）読み出し方向及び読み出し強度を有する読み出し磁界勾配をセットするステップと、
ｉｉ）前記読み出し磁界勾配の存在下、ＲＦパルスを放射し、と、
ｉｉｉ）前記読み出し磁界勾配の存在下、半径方向のｋ空間サンプルを表すＦＩＤ信号を取得するステップと、
ｉｖ）前記読み出し方向を徐々に変化させるステップと、
ｖ）前記読み出し強度が反復と反復との間に変更されるようにして前記ステップｉ）乃至ｉｖ）を繰り返すことによって、ｋ空間の球形ボリュームをサンプリングするステップであって、サンプリングの都度前記読み出し強度の異なる値を用いてｋ空間の個別の位置が少なくとも２回サンプリングされるように、前記読み出し強度が変えられ、前記ｋ空間の位置が、２又はそれ以上の異なるサンプリング時間にサンプリングされる、ステップと、
を含むゼロエコー時間シーケンスである、命令と、
前記取得されたＦＩＤ信号からＭＲ画像を再構成する命令であって、前記取得されたＦＩＤ信号に対する２又はそれ以上の化学種の信号寄与が分離される、命令と、
をコンピュータに実行させるコンピュータプログラムであって、
前記ＦＩＤ信号に対する２又はそれ以上の化学種の信号寄与が、前記読み出し強度の変更によってもたらされる前記取得されたＦＩＤ信号の位相差から導き出され、
前記信号寄与の分離は、少なくとも前記化学種の各々のＭＲスペクトルを含む信号モデルに基づいて実施される、
コンピュータプログラム。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
第１及び第２の端部、並びにグリップ部を有するボディ部と、
前記ボディ部の前記第１の端部に結合されたオーラルツールと、
前記ボディ部上に配置された複数の圧力ゾーンを含み、ユーザーによって力が加えられた圧力ゾーンを示すセンサー値を出力するタッチ感応（ＴＳ）センサーと、
握り締め解析を介して前記センサー値における圧力パターンを認識するのに応じて、前記ユーザー又はユーザーのタイプを識別し、その後、前記センサー値を少なくとも１つの閾値と比較したときに、
（ｉ）識別された第１のユーザー又はユーザーのタイプと、（ｉｉ）識別された第２のユーザー又はユーザーのタイプとに対する異なる洗浄機能の対応する機能マップを用いて、
（ｉ）前記比較の結果、及び（ｉｉ）識別された前記第１のユーザー若しくはユーザーのタイプ、又は識別された前記第２のユーザー若しくはユーザーのタイプに対する前記対応する機能マップに基づき前記オーラルツールを作動させる、コントローラと
を含む、口腔装置。
【請求項２】
前記オーラルツールは、歯ブラシ、水ベースの歯間洗浄デバイス、及びドリルのうちの少なくとも１つを含む、請求項１に記載の口腔装置。
【請求項３】
前記ＴＳセンサーは、抵抗値を出力する力覚抵抗器を含む、請求項２に記載の口腔装置。
【請求項４】
前記ＴＳセンサーは、互いの上に積層された、前記ボディ部を実質的に一周する複数のポリマー層を含む、請求項３に記載の口腔装置。
【請求項５】
前記コントローラは、さらに、前記比較の結果に基づき、前記オーラルツールを往復運動させる振動数を決定する、請求項１に記載の口腔装置。
【請求項６】
前記オーラルツールを作動させるために、前記コントローラは、前記オーラルツールに結合されたアクチュエータを制御し、前記オーラルツールに電動力を供給する、請求項１に記載の口腔装置。
【請求項７】
前記センサー値は、前記ＴＳセンサーに加えられた力と比例する抵抗値である、請求項１に記載の口腔装置。
【請求項８】
前記オーラルツールに結合されたアクチュエータをさらに含み、前記アクチュエータは、回転モーター、リニアモーター、及びポンプのうちの少なくとも１つを含む、請求項１に記載の口腔装置。
【請求項９】
前記ポンプに結合された流体リザーバをさらに含む、請求項８に記載の口腔装置。
【請求項１０】
前記コントローラは、さらに、一対一ベース及び離散的ベースのうちの１つで前記センサー値に基づき、前記オーラルツールを駆動する振動数を決定する、請求項１に記載の口腔装置。
【請求項１１】
ボディ部及び前記ボディ部から伸びるオーラルツールを有する口腔装置を作動させる方法であって、前記オーラルツールは、アクチュエータに結合され、前記ボディ部は、前記ボディ部の両端の間に位置するグリップ部を有し、前記方法は、前記口腔装置の少なくとも１つのコントローラによって実行され、
前記ボディ部の前記グリップ部に位置する複数の圧力ゾーンを含むタッチ感応（ＴＳ）センサーによって生成されたセンサー情報を取得するステップであって、前記センサー情報は、ユーザーによって前記ＴＳセンサーの表面に力が加えられた圧力ゾーンに対応する、ステップと、
前記センサー情報に基づき、複数の機能から洗浄機能を選択するステップであって、最初に、握り締め解析を介して前記センサー情報における圧力パターンを認識するのに応じて、前記ユーザー又はユーザーのタイプを識別するステップと、その後、前記センサー情報を少なくとも１つの閾値と比較したときに、（ｉ）識別された第１のユーザー又はユーザーのタイプと、（ｉｉ）識別された第２のユーザー又はユーザーのタイプとに対する異なる洗浄機能の対応する機能マップを用いるステップとを含む、選択するステップと、
（ｉ）前記比較の結果、及び（ｉｉ）識別された前記第１のユーザー若しくはユーザーのタイプ、又は識別された前記第２のユーザー若しくはユーザーのタイプの前記対応する機能マップに基づいて、前記選択された洗浄機能に基づき、前記アクチュエータを制御するステップと
を含む、方法。
【請求項１２】
前記ユーザーによって前記ＴＳセンサーの表面に加えられた力に対応するインピーダンス値を含むよう、前記ＴＳセンサーによって前記センサー情報を形成するステップをさらに含む、請求項１１に記載の方法。
【請求項１３】
複数の機能から洗浄機能を選択する前記ステップは、一対一及び離散的ベースのうちの１つで前記センサー情報に基づき、前記アクチュエータを駆動する振動数を決定するステップを含む、請求項１１に記載の方法。
【請求項１４】
前記選択された機能に基づき、前記オーラルツールからの毛の伸長を制御するよう、さらなるアクチュエータを制御するステップをさらに含む、請求項１１に記載の方法。
【請求項１５】
プロセッサによって実行されると、ボディ部及び前記ボディ部から伸びるオーラルツールを有する口腔装置の動作を制御するよう前記プロセッサを構成するコンピュータ命令を含む非一時的コンピュータ可読媒体であって、前記オーラルツールは、アクチュエータに結合され、前記ボディ部は、前記ボディ部の両端の間に位置するグリップ部を有し、前記プロセッサは、
前記ボディ部の前記グリップ部に位置する複数の圧力ゾーンを含むタッチ感応（ＴＳ）センサーによって生成された、ユーザーによって前記ＴＳセンサーの表面に力が加えられた圧力ゾーンに対応するセンサー情報を取得すること、
前記センサー情報に基づき、複数の機能から洗浄機能を選択することであって、最初に、握り締め解析を介して前記センサー情報における圧力パターンを認識するのに応じて、前記ユーザー又はユーザーのタイプを識別することと、その後、前記センサー情報を少なくとも１つの閾値と比較したときに、（ｉ）識別された第１のユーザー又はユーザーのタイプと、（ｉｉ）識別された第２のユーザー又はユーザーのタイプとに対する異なる洗浄機能の対応する機能マップを用いることとを含む、選択すること、及び
（ｉ）前記比較の結果、及び（ｉｉ）識別された前記第１のユーザー若しくはユーザーのタイプ、又は識別された前記第２のユーザー若しくはユーザーのタイプの前記対応する機能マップに基づいて、前記選択された洗浄機能に基づき、前記アクチュエータを制御すること
を実行することによって前記動作を制御する、非一時的コンピュータ可読媒体。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
口腔ケア器具のための螺旋ブラシ毛であって、
共に絡み合う第１および第２のストランド構成部品と、
第１のプラスチックと、第１の口腔ケア添加物とを含む前記第１のストランド構成部と、
第２のプラスチックと、第２の口腔ケア添加物とを含む前記第２のストランド構成部と、を備え、
前記第１の口腔ケア添加物は、前記第２の口腔ケア添加物と異なる、螺旋ブラシ毛。
【請求項２】
前記第１および第２のプラスチックの各々は、エッチング液により侵食され得る、請求項１に記載の螺旋ブラシ毛。
【請求項３】
前記螺旋ブラシ毛は、自由端の方に移動すると横断面面積が減少する円錐端部部分を含む、請求項１〜請求項２のいずれか一項に記載の螺旋ブラシ毛。
【請求項４】
前記第１のプラスチックは、エッチング液により侵食され得、前記第２のプラスチックは、前記エッチング液に対して化学的に強い、請求項１に記載の螺旋ブラシ毛。
【請求項５】
前記第１および第２のストランド構成部の各々は、多角形の横方向の横断面を有する、請求項１〜請求項４のいずれか一項に記載の螺旋ブラシ毛。
【請求項６】
前記第１の口腔ケア添加物は、前記第１のプラスチックに混合される粒子の形であり、前記第２の口腔ケア添加物は、前記第２のプラスチックに混合される粒子の形である、請求項１〜請求項５のいずれか一項に記載の螺旋ブラシ毛。
【請求項７】
前記第１の口腔ケア添加物および前記第２の口腔ケア添加物は、唾液を受けたときに、それぞれ、前記第１および第２のプラスチックから放出可能である、請求項１〜請求項６のいずれか一項に記載の螺旋ブラシ毛。
【請求項８】
前記第１の口腔ケア添加物は、第１の薬剤を含み、前記第２の口腔ケア添加物は、前記第１の薬剤と異なる第２の薬剤を含み、前記第１および第２の薬剤の混合は、第３の薬剤を生成する、請求項１〜請求項７のいずれか一項に記載の螺旋ブラシ毛。
【請求項９】
前記第１および第２の口腔ケア添加物の各々は、松エキスおよび塩の混合物、茶葉エキス、真珠粉体、軟玉粉体、木炭粉体、および抗菌材料から成る群から選択される、請求項１〜請求項８のいずれか一項に記載の螺旋ブラシ毛。
【請求項１０】
前記第１の口腔ケア添加物は第１の担体により担持され、前記第２の口腔ケア添加物は、第２の担体により担持される、請求項１〜請求項９のいずれか一項に記載の螺旋ブラシ毛。
【請求項１１】
前記第１および第２の担体の少なくとも１つは、１つまたはそれ以上のカプセルを含む、請求項１０に記載の螺旋ブラシ毛。
【請求項１２】
前記第１および第２の担体の少なくとも１つは、１つまたはそれ以上の基材を含む、請求項１０に記載の螺旋ブラシ毛。
【請求項１３】
前記第１の担体は、前記第１のプラスチックよりも高い溶融温度を有し、前記第２の担体は、前記第２のプラスチックよりも高い溶融温度を有する、請求項１０〜請求項１２のいずれか一項に記載の螺旋ブラシ毛。
【請求項１４】
柄部と、
前記柄部に結合された頭部と、
前記頭部から延在する少なくとも１つのブラシ毛房と、
少なくとも１つの螺旋ブラシ毛であって、前記少なくとも１つのブラシ毛房は、少なくとも１つの螺旋ブラシ毛を含み、前記少なくとも１つの螺旋ブラシ毛は、前記少なくとも１つの螺旋ブラシ毛を形成するために、共に絡み合う、同時に押出し成形された第１および第２のストランド構成部を含む、前記少なくとも１つの螺旋ブラシ毛と、
第１のプラスチックと、第１の口腔ケア添加物とを含む、前記第１のストランド構成部と、
第２のプラスチックを含み、かつ、口腔ケア添加物を含まない、前記第２のストランド構成部と、を備える、口腔ケア器具。
【請求項１５】
柄部と、
前記柄部に結合された頭部と、
前記頭部から延在する少なくとも１つのブラシ毛房であって、前記少なくとも１つのブ
ラシ毛房は、請求項１〜１３のいずれか一項に記載の、少なくとも１つの螺旋ブラシ毛を含む、前記少なくとも１つのブラシ毛房と、を備える、口腔ケア器具。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
口腔ケア器具であって、
ハンドルと、
前記ハンドルに連結されたヘッドと、
前記ヘッドから延在する少なくとも１束の毛束を備え、前記少なくとも１束の毛束は、共押し出しされたコア部及びシース部を備える少なくとも１本の複数構成部ブラシ毛を有し、前記シース部は前記コア部の第１の部分を包囲し、前記コア部の第２の部分は、前記複数構成部ブラシ毛の先端部において前記シース部から突出しており、
前記シース部は、第１のプラスチックを備え、
前記コア部は、第２のプラスチックを備え、
前記コア及びシース部のうちの一方は、口腔ケア添加剤を備え、前記コア及びシース部のうちの他方は、口腔ケア添加剤を有さない前記口腔ケア器具。
【請求項２】
前記コア部は、前記口腔ケア添加剤を含有し、前記シース部は、前記口腔ケア添加剤を含有しない請求項１に記載の口腔ケア器具。
【請求項３】
前記シース部は、前記口腔ケア添加剤を含有し、前記コア部は、前記口腔ケア添加剤を含有しない請求項１に記載の口腔ケア器具。
【請求項４】
複数構成部ブラシ毛であって、
コア部と、
シース部と、を備え、
前記シース部は前記コア部の第１の部分を包囲し、前記コア部の第２の部分は、前記複数構成部ブラシ毛の先端部において前記シース部から突出しており、
前記シース部は第１のプラスチックと第１の口腔ケア添加剤を有し、
前記コア部は第２のプラスチックと第２の口腔ケア添加剤を有し、
前記第１の口腔ケア添加剤は、前記第２の口腔ケア添加剤とは異なる前記複数構成部ブラシ毛。
【請求項５】
前記第１と第２のプラスチックは、それぞれエッチング液で侵食可能である請求項４に記載の複数構成部ブラシ毛。
【請求項６】
前記複数構成部ブラシ毛の先端部は、自由端に向かって移動すると横断面積が減少する円錐形状を有する請求項４から５のいずれか１つに記載の複数構成部ブラシ毛。
【請求項７】
前記第１のプラスチックは、エッチング液によって侵食可能であり、前記第２のプラスチックは、エッチング液に対して化学的に耐性を有する請求項４から６のいずれか１つに記載の複数構成部ブラシ毛。
【請求項８】
前記第１の口腔ケア添加剤は、前記第１のプラスチックに混合された粒子の形態であり、前記第２の口腔ケア添加剤は、前記第２のプラスチックに混合した粒子の形態である請求項４から７のいずれか１つに記載の複数構成部ブラシ毛。
【請求項９】
前記第１と第２の口腔ケア添加剤はそれぞれ、松の木の抽出物と塩の混合物、茶葉抽出物、真珠粉、ネフライトパウダー、チャコールパウダー及び抗バクテリア剤からなる群から選択される請求項４から８のいずれか１つに記載の複数構成部ブラシ毛。
【請求項１０】
前記第１の口腔ケア添加剤は、第１のキャリヤによって保持され、前記第２の口腔ケア添加剤は第２のキャリヤによって保持される請求項４から９のいずれか１つに記載の複数構成部ブラシ毛。
【請求項１１】
前記第１のキャリヤは、前記第１のプラスチックより溶融温度が高く、前記第２のキャリヤは、前記第２のプラスチックより溶融温度が高い、請求項１０に記載の複数構成部ブラシ毛。
【請求項１２】
口腔ケア器具であって、
ハンドルと、
前記ハンドルに連結されたヘッドと、
前記ヘッドから延在する少なくとも１束の毛束であって、前記少なくとも１束の毛束は、請求項４から１１のいずれか１つに記載の、少なくとも１本の複数構成部ブラシ毛を含む、前記少なくとも１束の毛束と、を備える、口腔ケア器具。